(57)【要約】【課題】水中において肌を吸盤で吸引することで、肌下に流れる血液を集合又は移動させて身体の血行を促進させることにより、人の健康維持や患部の痛みを和らげるための手段として、負圧水マッサージ装置を提供する。【解決手段】水を吸水することのできるポンプ２と、ゴムなどの弾性材料で形成された吸盤３と、前記ポンプの吸水側と前記吸盤の後部側とをホースで接続し、そのホース内を通過する通水量を手動で調整できるサクション流量調整ホース４と、を有して負圧水マッサージ装置を構成している。【選択図】図１
2009201960.tif 000002
【特許請求の範囲】
【請求項１】
水（温水）を吸水することのできるポンプと、ゴムなどの弾性材料で形成された吸盤と、前記ポンプの吸水側と前記吸盤の後部側とをホースで接続し、そのホース内を通過する通水量を手動で調整できるサクション流量調整ホースと、を備えていることを特徴とする負圧水マッサージ装置。
【請求項２】
請求項１に記載の負圧水マッサージ装置において、肌に吸着させる前記吸盤を複数接続させていることを特徴とする負圧水マッサージ装置。
【請求項３】
請求項１又は２に記載の負圧水マッサージ装置において、サクション流量調整ホース内の通水量を手動で調整する部分に、通水量を変動させることができる電磁弁を接続することにより、前記吸盤内の吸引圧力を変動させることや、作動又は停止を電気的に制御できることを備えていることを特徴とする負圧水マッサージ装置。
【発明の詳細な説明】
【技術分野】
【０００１】  本発明は、水（温水）中においてポンプの吸水側に発生する負圧水を利用して、肌（皮膚）を吸引し身体の血行を促進させる負圧水マッサージ装置に関する。
【背景技術】
【０００２】従来から入浴中に適当な水圧を持つ水流を肌表面に当てることにより、水流の水圧摩擦による動的な指圧により身体の血行促進を目的とした各種の水流マッサージ装置が開発されている。【０００３】（１）水道水圧を利用し、肌表面から指圧効果を得られるようにした水圧利用マッサージ装置（例えば、特許文献１参照）
（２）マッサージを受けようとする人体の被マッサージ部を噴射水圧によりマッサージする部分用の水圧マッサージ機（例えば、特許文献２参照）【０００４】
【特許文献１】特開２００６−００６８５４号公報
【特許文献２】特開２００６−２０４７６８号公報
【発明の開示】
【発明が解決しようとする課題】
【０００５】  しかしながら、上記の特許文献１及び特許文献２に記載の従来技術は、水流圧を肌表面に加えることで指圧効果は得られますが、肌下を流れる血液を集合させることや移動させることができないという課題があった。
【課題を解決するための手段】
【０００６】本発明は上記課題を解決するためになされたもので、本発明の目的は水中において肌を吸盤で吸引することにより、肌下に流れる血液を集合又は移動させ身体の血行を促進させることで、人の健康維持や患部の痛みを和らげるための手段として、負圧水マッサージ装置を提供することを目的とする。【０００７】本発明の請求項１に記載の負圧水マッサージ装置は、水を吸水することのできるポンプと、ゴムなどの弾性材料で形成された吸盤と、前記ポンプの吸水側と前記吸盤の後部側とをホースで接続し、そのホース内を通過する通水量を手動で調整できるサクション流量調整ホースと、を備えて構成されている。
この構成によって以下の作用を有する。
（１）吸盤を肌面に接触させると、吸盤が肌に吸着し吸盤内が負圧になる。
（２）サクション流量調整ホース内の通水量を手動で更に減らすことによって、肌面に吸      着している吸盤内の負圧力を更に強くすることができる。
（３）吸盤材質にゴムなどの弾性材料を用いているので、吸盤と肌とを密着させることや      、吸盤と肌との間の圧力変化を緩和できる。【０００８】本発明の請求項２に記載の負圧水マッサージ装置は、請求項１に記載の負圧水マッサージ装置において、肌に吸着させる前記吸盤を複数接続させていることで構成されている。
この構成によって以下の作用を有する。
（１）複数の吸盤を肌面に接触させると、複数の吸盤が肌に吸着し吸盤内が負圧になる。
（２）サクション流量調整ホース内の通水量を手動で更に減らすことによって、肌面に吸      着している複数の吸盤内の負圧力を同時に更に強くすることができる。【０００９】本発明の請求項３に記載の負圧水マッサージ装置は、サクション流量調整ホース内の通水量を手動で調整する部分に、通水量を変動させることができる電磁弁を接続することにより、前記吸盤内の吸引圧力を変動させることや、作動又は停止を電気的に制御できることで構成されている。
この構成によって以下の作用を有する。
（１）サクション流量調整ホース内の通水量を電気的に調整できるので、間欠流又は脈動      流のような複雑な通水量変動も電気的に制御できる。
（２）複数の吸盤の作動又は停止を電気的に制御することができる。
【発明の効果】
【００１０】本発明の請求項１に記載の負圧水マッサージ装置によれば、以下のような効果を有する。
（ａ）使用者が吸盤を所望する患部に簡単に吸着させ、自分の身体使の状態に合わせて吸      引マッサージすることができる。
（ｂ）温水を使用すれば更に温熱効果が働き、血行促進によりコリ・むくみ部分の解消、      脂肪代謝が活発化するなどの期待できる。【００１１】本発明の請求項２に記載の負圧水マッサージ装置によれば、以下のような効果を有する。
（ａ）一度に数箇所の患部を吸引マッサージできる。【００１２】本発明の請求項３に記載の負圧水マッサージ装置によれば、以下のような効果を有する。
（ａ）複数接続された吸盤内を負圧状態にしたり、負圧停止状態にしたり電気的に制御で      きるので、例えば、足裏部分とふくろはぎ部分に吸盤を吸着させ、交互に負圧状態      になるよう装置を稼動させることにより、吸盤が吸着している局部だけではなく、      足裏部分からふくろはぎ部分に渡った広い範囲の血行促進が期待できる。
【発明を実施するための最良の形態】
【００１３】（実施の形態１）
以下、本発明の実施の形態１の負圧水マッサージ装置について、以下図面を参照しながら詳細に説明する。
図１は本発明の実施の形態１における負圧水マッサージ装置であり、１は負圧水マッサージ装置、２は水（温水）Ｗを吸水することのできるポンプ、２ａはポンプ２の吐出側パイプ３はゴムなどの弾性材料で形成された吸盤、４はポンプ２の吸水側と前記吸盤３の後部側３ａとをホースで接続し、そのホース内を通過する通水量を手動で調整できるサクション流量調整ホースである。【００１４】  まず、ポンプ２を稼動させることで、水Ｗが吸盤３及びサクション流量調整ホース４を介してポンプ２の吸水側の吸水されます。この時ポンプ２の吸水側の負圧力により、吸盤３から１負圧水Ｗ１の水量と、サクション流量調整ホース４から２負圧水Ｗ２と３負圧水Ｗ３の水量とを合せた水量がポンプ２に吸水されることになります。
肌Ｓに吸盤３を吸着させた説明は図１拡大図（ａ）を参照にして説明します。吸盤３を肌Ｓに接すると吸盤３は肌Ｓに吸着します。そのことで１負圧水Ｗ１の水量がポンプ２への吸水量分が遮断されることで、その水量に相当する吸引圧力が肌Ｓ表面に１吸引圧力Ｄ１として加わります。更にサクション流量調整ホース４からの２負圧水Ｗ２を指４ａで遮断すると、肌Ｓ表面には更に２吸引圧力Ｄ２が加わり、肌Ｓ表面に強力なＤ１とＤ２の吸引圧力が掛かった状態になります。この時ポンプ２吸水側へ吸水される水量は３負圧水Ｗ３からの水量だけになります。
次に、指４ａをサクション流量調整ホース４から離せば、再び２負圧水Ｗ２の水量がポンプ２吸水側へ吸水されるので肌Ｓ表面に加わっていた２吸引圧力Ｄ２はなくなります。この作動を繰り返せば肌Ｓ表面に強弱をつけて吸引しながらマッサージすることができます。
また、指４ａで２負圧水Ｗ２を遮断する時に、例えば間欠的に微妙な変化をつけて通水量させると、肌Ｓ表面に加わっている２吸引圧力Ｄ２に間欠的に微妙な変化を与えることができます。【００１５】  図２の（ａ）は浴槽内において、人の腰部分に吸盤３を吸着させ稼動させている負圧水マッサージ装置の使用状態を示す模式図で、図２の（ｂ）はサクション流量調整ホース４に吸盤３を複数接続した場合の模式図である。
図３は主に足部分の血行を促進するために、足裏部分とふくろはぎ部分に吸盤３を配置し、請求項３内に記載しているサクション流量調整ホース４内の通水量の調整に電磁弁５（単・複数）を接続して通水量を変動させることで、各々の吸盤３内の吸引圧力を微妙に変動させることや、各所に配置された吸盤３の作動又は停止の操作を、電気的に制御できる負圧水マッサージ装置を内蔵した足浴バスの使用状態を示す模式図である。
【産業上の利用可能性】
【００１６】（１）血行不良障害者の改善装置。
（２）コリ・むくみの改善装置。
（３）家庭で簡易に使用できるのは勿論のこと、病院や介護施設等においても利用するこ      とができる。
【図面の簡単な説明】
【００１７】
【図１】図１は本発明の実施の形態１における負圧水マッサージ装置の模式図。
【図２】図２の（ａ）は浴槽内において、負圧水マッサージ装置の使用状態を示す模式図。図２の（ｂ）はサクション流量調整ホース４に吸盤３を複数接続した模式図。
【図３】負圧水マッサージ装置を内蔵した足浴バスの使用状態を示す模式図。
【符号の説明】
【００１８】１    負圧水マッサージ装置
２    ポンプ
２ａ  吐出側パイプ
３    吸盤
３ａ  吸盤３の後部側
４    サクション流量調整ホース
４ａ  指
５    電磁弁
Ｄ１  １吸引圧力
Ｄ２  ２吸引圧力
Ｓ    肌
Ｗ１  １負圧水
Ｗ２  ２負圧水
Ｗ３  ３負圧水
【図１】
2009201960.tif 000003
【図２】
2009201960.tif 000004
【図３】
2009201960.tif 000005